(57)【要約】【課題】機内部品の温度上昇を低減する、および搬送されるシートの温度を下げる事で、異常画像の発生を抑制する。【解決手段】  排紙装置５０は、形成画像が転写されたシートＳに画像を定着させる定着部１７と、定着部１７とシートＳを排出する排紙口２６との間に設けられた搬送ガイド５１および搬送ガイド５２と、定着部１７を通ったシートＳの搬送方向を切り替える経路変更用分岐爪５３と、温度検知センサ５７、５８により搬送ガイド５１および搬送ガイド５２の温度を検知し、経路変更用分岐爪５３にて搬送経路を温度が最も低い搬送経路に変更するよう経路変更用分岐爪５３を動かす制御手段１０１を有するよう構成した。【選択図】図５
2019159050.tif 000002
【特許請求の範囲】
【請求項１】
画像が形成された記録媒体に前記画像を定着させる定着手段と、
前記定着手段と前記記録媒体を排出する排紙口との間に設けられた複数の搬送手段と、
前記定着手段を通った記録媒体の搬送方向を切り替える分岐手段と、
所定の条件にしたがって前記記録媒体を複数の前記搬送手段のいずれかに選択的に搬送するよう前記分岐手段を動かす制御手段を有することを特徴とした排紙装置。
【請求項２】
前記搬送手段を冷却する冷却部材を有することを特徴とする請求項１に記載の排紙装置。
【請求項３】
前記冷却部材は複数の前記搬送手段を冷やす、または非通紙側の前記搬送手段を冷やすよう切替制御を行うことを特徴とする請求項２に記載の排紙装置。
【請求項４】
前記冷却部材にファンを用い、風量を可変調整することを特徴とする請求項２または請求項３のいずれか１項に記載の排紙装置。
【請求項５】
前記搬送手段の温度を検知する温度検知手段を有し、
前記分岐手段にて前記搬送手段による搬送経路を前記温度が最も低い前記搬送経路に変更するよう制御することを特徴とする請求項１ないし請求項４に記載の排紙装置。
【請求項６】
前記記録媒体に転写された画像の画像面積率を検知し、前記画像面積率が所定値以上である場合に前記分岐手段にて前記搬送手段による搬送経路を前記温度が最も低い前記搬送経路に変更するよう制御することを特徴とする請求項１ないし請求項５に記載の排紙装置。
【請求項７】
前記記録媒体の紙厚を検知し、前記記録媒体の紙厚が厚い程、前記冷却部材の動作効率を大きくするよう制御することを特徴とする請求項１ないし請求項６に記載の排紙装置。
【請求項８】
前記分岐手段下流で、分岐した複数の前記搬送経路を１つに集約し、前記記録部材をスイッチバックさせずに搬送することを特徴とする請求項１ないし請求項７に記載の排紙装置。
【請求項９】
前記搬送手段による前記搬送経路を搬送される前記記録媒体毎に前記搬送経路を交互に変更するよう制御することを特徴とする請求項１ないし請求項８に記載の排紙装置。
【請求項１０】
前記記録媒体が搬送されている前記搬送経路の温度が所定値を超えたことを条件に、前記搬送経路を前記記録媒体が搬送されていない、いずれかの前記搬送経路に変更することを特徴とする請求項１ないし請求項９に記載の排紙装置。
【請求項１１】
前記搬送経路を印刷ジョブ毎に前記記録媒体が搬送されていない、いずれかの前記搬送経路に変更することを特徴とする請求項１ないし請求項１０に記載の排紙装置。
【請求項１２】
請求項１ないし請求項１１のいずれか１項に記載の排紙装置を備えることを特徴とする画像形成装置。
【発明の詳細な説明】
【技術分野】
【０００１】
本発明は、定着部の下流側における搬送経路の切替えを搬送経路の温度等の条件により行う排紙装置および画像形成装置に関する。
【背景技術】
【０００２】
電子写真方式の画像形成装置では、高生産性化やカラー化が急速に進展するとともに、両面印刷機構を備えたものも多く普及するに至っている。そのため、排紙装置においても、高速化への対応を一段と進める必要が生じている。近年では、ヒートパイプを用いて記録紙の温度を低下させる技術や、液冷を用いた冷却搬送ベルトで記録紙の温度を低下させる技術が考えられ既に知られている（例えば特許文献１）。
【０００３】
特許文献１には、定着装置下流に定着されたシートを冷却する冷却ローラを備え、ローラを正転，反転させる事でシートの温度を下げる手段を備えた画像形成装置が開示されている。このような構成を備えた画像形成装置により、シートの温度状況に応じたシート搬送を行うことで異常画像（シート貼り付き）の発生を抑制することを図っている。
【発明の概要】
【発明が解決しようとする課題】
【０００４】
しかしながら、特許文献１に記載された排紙装置は、高生産性化に伴い、熱を帯びているシートが連続で通紙され、シートの紙間が狭くなることで、機内部品の温度が上昇し易くなっていた。機内部品の温度が上昇することでシート温度を下げ難くなり、シートが高い温度で排出され異常画像（シート貼り付き）が発生し易くなるという問題があった。
【０００５】
本発明はこのような問題を解決するためになされたもので、機内部品の温度上昇を低減する、および搬送されるシート温度を下げる事で、異常画像の発生を抑制することを目的とする。
【課題を解決するための手段】
【０００６】
本発明に係る排紙装置は、上記目的を達成するため、形成画像が転写された記録媒体に前記画像を定着させる定着手段と、前記定着手段と前記記録媒体を排出する排紙口との間に設けられた複数の搬送手段と、前記定着手段を通った記録材の搬送方向を切り替える分岐手段と、を有し、所定の条件にしたがって前記記録媒体を複数の前記搬送手段のいずれかに選択的に搬送するよう前記分岐手段を動かす制御手段を有することを特徴とする。
【発明の効果】
【０００７】
本発明によれば、機内部品の温度上昇を低減する、および搬送されるシート温度を下げる事で、異常画像の発生を抑制することができる。
【図面の簡単な説明】
【０００８】
【図１】本発明の第１の実施の形態に係る画像形成装置の概略構成を示す断面図である。
【図２】本発明の第１の実施の形態に係る画像形成装置の機能ブロック図である。
【図３】本発明の第１の実施の形態に係る画像形成装置の制御ブロック図である。
【図４】本発明の第１の実施の形態に係る画像形成装置の概略構成および拡大した排紙装置を示す断面図である。
【図５】本発明の第１の実施の形態に係る排紙装置の構成を示す説明図である。
【図６】本発明の第１の実施の形態に係る排紙装置の搬送経路の一部分を示す説明図である。
【図７】本発明の第１の実施の形態に係る経路変更用分岐爪の動作を説明するフローチャートである。
【図８】本発明の第１の実施の形態に係る経路変更用分岐爪の動作を説明するフローチャートである。
【図９】本発明の第２の実施の形態に係る経路変更用分岐爪の動作を説明するフローチャートである。
【発明を実施するための形態】
【０００９】
まず、図１を参照して、本発明の実施の一形態に係る画像形成装置１の全体構成について説明する。
【００１０】
（第１の実施の形態）
図１は、本発明の一実施形態に係る排紙装置５０を備えた画像形成装置１の断面の一例を示す概略構成図である。画像形成装置１のほぼ中央に中間転写ベルト１６が設けられ、中間転写ベルト１６の上部走行辺にはイエローＹ、シアンＣ、マゼンタＭ、ブラックＫの感光体１２が設けられている。各感光体１２の周囲には、帯電器１１、現像機１３や中間転写ベルト１６を挟んで１次転写ローラ１４、等が配設されている。
【００１１】
そして、プリントが開始されると、感光体１２が図１における反時計方向に回転駆動され、このとき帯電器１１によって感光体１２の表面が所定の極性に帯電される。次いで、その帯電面に、各色のレーザ走査ユニット１０から画像情報に基づくレーザ光が照射され、これによって感光体１２に静電潜像が形成される。
【００１２】
そして、感光体１２の表面に形成された静電潜像は、現像機１３によってトナー像として可視像化され、トナー像は１次転写ローラ１４によって中間転写ベルト１６に転写される。なお、トナー像転写後の感光体１２の表面に付着する転写残トナーは感光体クリーナーによって除去される。
【００１３】
カラー画像形成時は上記した画像形成動作が全ての感光体１２で行われ、これによって各感光体１２にそれぞれ形成されたイエロートナー像、シアントナー像、マゼンタトナー像および黒トナー像が中間転写ベルト１６上に順次重ねて転写される。一方、画像形成装置１の下部には第１〜第３の給紙トレイ５を備え、ユーザは操作パネル３やＰＣ等の入力端末より、使用する第１〜第３の給紙トレイ５を選択することにより、選択された給紙トレイに格納された転写紙又は樹脂フィルムなどから成るシートＳが給紙される。シートＳは本発明に係る記録媒体を構成する。なお、図１中の破線は画像形成装置１内をシートＳが通過する搬送経路１９を示す。
【００１４】
給紙されたシートＳは、レジストローラ１８に向けて送り出され、その先端が停止しているレジストローラ１８に突き当てられる。これによってシートＳが整合された後、レジストローラ１８は２次転写ローラ１５を設けられた上記中間転写ベルト１６の２次転写部に向けてシートＳを上記トナー像と合致するタイミングで送り出す。なお、トナー像転写後の中間転写ベルト１６の表面に付着する転写残トナーはベルト用のクリーナーによって除去される。
【００１５】
そして、２次転写ローラ１５によって未定着トナー像が転写されたシートＳは、定着部１７に送られる。定着部１７は、定着ベルト１７ａ、加圧ローラ１７ｂ、ハロゲンヒータ１７ｃを有する。加圧ローラ１７が回転駆動すると、その駆動力がニップ部で定着ベルト１７ａに伝達され、定着ベルト１７ａが従動回転する。ハロゲンヒータ１７ｃは定着ベルト１７ａの内部に設けられ定着ベルト１７ａを加熱する。定着ベルト１７ａ、加圧ローラ１７ｂによる熱と圧力とにより、表面に転写されたカラー画像がシートＳ上に未定着トナー像が定着される。
【００１６】
シートＳに未定着トナー像が定着された後、排紙口２６を経て排紙トレイ４に排出される。このように定着部１７は画像が形成されたシートＳに画像を定着させるようになっている。または、第一面に画像が形成されたシートＳは分岐爪２３の搬送経路を切り替えることで両面経路へと搬送される。分岐爪２３の反転ローラ２１送り出されたシートＳは反転ローラの正逆転により、両面ローラ４２へと搬送される。
【００１７】
この際、シートＳの搬送方向に対する表裏は第一面画像形成時と反転する。そして、中継ローラ２２、レジストローラ１８までシートが搬送された後は、上記で説明したのと同様のプロセスで第二面にも画像形成を施した後、排紙トレイ４に排出される。
【００１８】
また、ユーザはオプションにより、画像形成装置１に大量のシートを給紙可能な給紙バンクや、排紙トレイ４の代わりに、スティプル綴じや折りを施すことの出来るフィニッシャーを接続することも可能である。
【００１９】
図２は本実施の形態に係る画像形成装置１の機能ブロック図を示す。本実施の形態に係る画像形成装置１は、画像が形成された記録媒体に画像を定着させる定着手段と、定着手段と記録媒体を排出する排紙口との間に設けられた複数の搬送手段と、定着手段を通った記録媒体の搬送方向を切り替える分岐手段１０５と、所定の条件にしたがって記録媒体を複数の搬送手段のいずれかに選択的に搬送するよう分岐手段１０５を動かす制御手段１０１を有する。
【００２０】
上述した定着手段は、回転可能な無端状の定着ベルト１７ａと定着ベルト１７ａに対向して配置され、定着ベルト１７ａとの間にニップ部を形成する加圧ローラ１７ｂと定着ベルト１７ａの内側に配置され、定着ベルト１７ａを加熱するハロゲンヒータ１７ｃを有する定着部１７によって構成されている。上述した複数の搬送手段は、後述するシートＳを挟持して下流側へと搬送する所定の間隔をおいて設けられた搬送ローラ５４ａ、搬送ローラ５４ｂ、搬送ローラ５４ｃと搬送ローラ５４ａ、搬送ローラ５４ｂ、搬送ローラ５４ｃから送出されるシートＳを機外排出経路へ案内する搬送ガイド５１とシートＳを挟持して下流側へと搬送する所定の間隔をおいて設けられた搬送ローラ６４ａ、搬送ローラ６４ｂ、搬送ローラ６４ｃ、搬送ローラ６４ｄ、搬送ローラ６４ｅ、搬送ローラ６４ｆと搬送ローラ６４ａ、搬送ローラ６４ｂ、搬送ローラ６４ｃ、搬送ローラ６４ｄ、搬送ローラ６４ｅ、搬送ローラ６４ｆから送出されるシートＳを機外排出経路へ案内する搬送ガイド５２によって構成されている。上述した分岐手段１０５は、後述する経路変更用分岐爪５３と電磁モータ６３によって構成されている。上述した制御手段１０１は、ＣＰＵ、ＲＯＭ、ＲＡＭ等を含むマイクロコンピュータによって構成されている。ＲＯＭには、本実施の形態における画像形成装置１の駆動等の全般に関する制御プログラムが記憶されている。このＲＯＭに記憶されたプログラムを、ＲＡＭの一時記憶機能を利用しつつ、ＣＰＵによって実行するようになっている。
【００２１】
以下では、本実施の形態に係る画像形成装置１の他の態様を示す。本実施の形態に係る画像形成装置１は、画像が形成された記録媒体に画像を定着させる定着手段と、定着手段と記録媒体を排出する排紙口との間に設けられた第１の搬送手段と第１の搬送手段と分岐して設けられた第２の搬送手段と、定着手段の下流側に設けられ、定着手段を通過した記録媒体を検知する記録媒体検知手段１０２と、定着手段を通過した記録媒体の搬送方向を第１の搬送手段が形成する搬送経路または第２の搬送手段が形成する搬送経路のいずれかに切り替える分岐手段１０５と、第１の搬送手段上であって分岐手段の下流側に設けられ、第１の搬送手段の温度を検知する第１の温度検知手段１０３と、第２の搬送手段上であって分岐手段の下流側に設けられ、第２の搬送手段の温度を検知する第２の温度検知手段１０４と、を備え、第１の搬送手段上に記録媒体が搬送されている場合、第１の温度検知手段１０３により検知された温度が所定値を超えたことを条件に、記録媒体検知手段１０２が記録媒体を検知してから所定時間後に記録媒体が搬送される経路を第２の搬送手段が形成する搬送経路に変更するよう分岐手段１０５を動かせ、第２の搬送手段上に記録媒体が搬送されている場合、第２の温度検知手段１０４により検知された温度が所定値を超えたことを条件に、記録媒体検知手段１０２が記録媒体を検知してから所定時間後に記録媒体が搬送される経路を第１の搬送手段が形成する搬送経路に変更するよう分岐手段１０５を動かす制御手段１０１を有する。
【００２２】
上述した定着手段は、回転可能な無端状の定着ベルト１７ａと定着ベルト１７ａに対向して配置され、定着ベルト１７ａとの間にニップ部を形成する加圧ローラ１７ｂと定着ベルト１７ａの内側に配置され、定着ベルト１７ａを加熱するハロゲンヒータ１７ｃを有する定着部１７によって構成されている。上述した、記録媒体検知手段１０２は、後述するシート検知センサ６１によって構成されている。上述した第１の搬送手段は、後述するシートＳを挟持して下流側へと搬送する所定の間隔をおいて設けられた搬送ローラ５４ａ、搬送ローラ５４ｂ、搬送ローラ５４ｃと搬送ローラ５４ａ、搬送ローラ５４ｂ、搬送ローラ５４ｃから送出されるシートＳを機外排出経路へ案内する搬送ガイド５１によって構成されている。上述した第２の搬送手段は、シートＳを挟持して下流側へと搬送する所定の間隔をおいて設けられた搬送ローラ６４ａ、搬送ローラ６４ｂ、搬送ローラ６４ｃ、搬送ローラ６４ｄ、搬送ローラ６４ｅ、搬送ローラ６４ｆと搬送ローラ６４ａ、搬送ローラ６４ｂ、搬送ローラ６４ｃ、搬送ローラ６４ｄ、搬送ローラ６４ｅ、搬送ローラ６４ｆから送出されるシートＳを機外排出経路へ案内する搬送ガイド５２によって構成されている。
【００２３】
上述した、分岐手段１０５は、後述する経路変更用分岐爪５３と電磁モータ６３によって構成されている。上述した第１の温度検知手段１０３は、後述する温度検知センサ５７によって構成されている。上述した第２の温度検知手段１０４は、後述する温度検知センサ５８によって構成されている。制御手段１０１は、ＣＰＵ、ＲＯＭ、ＲＡＭ等を含むマイクロコンピュータによって構成されている。ＲＯＭには、本実施の形態における画像形成装置１の駆動等の全般に関する制御プログラムが記憶されている。このＲＯＭに記憶されたプログラムを、ＲＡＭの一時記憶機能を利用しつつ、ＣＰＵによって実行するようになっている。
【００２４】
次に図３を用いて画像形成装置１の制御構成について説明する。
【００２５】
画像形成装置１は、制御構成として制御手段１０１と温度検知センサ５７、５８とシート厚検知センサ６０とシート検知センサ６１と画像ドットカウンタ６２と冷却ファン５９ａ、５９ｂと経路変更用分岐爪５３と電磁モータ６３とを備えている。制御手段１０１は、入力信号に基づいて、経路変更用分岐爪５３の位置や冷却ダクト５５、５６における風量等を制御する。
【００２６】
制御手段１０１は、ＣＰＵ、ＲＯＭ、ＲＡＭ等を含むマイクロコンピュータにより構成されている。ＲＯＭには、本実施の形態における画像形成装置１の駆動等の全般に関する制御プログラムが記憶されている。このＲＯＭに記憶されたプログラムを、ＲＡＭの一時記憶機能を利用しつつ、ＣＰＵによって実行するようになっている。
【００２７】
温度検知センサ５７、５８は後述する搬送ガイド５１、５２に配置され各搬送ガイド５１、５２の温度を検知するようになっている。温度検知センサ５７、５８により検知された温度に応じて制御手段１０１は、後述する電磁モータ６３を駆動し経路変更用分岐爪５３の位置を切替え、また、冷却ファン５９ａ、５９ｂの風量を調節する。
【００２８】
シート厚検知センサ６０は、給紙トレイ５から２次転写部に到達するまでの給紙搬送路上に設けられ、シートＳの厚さを検知するようになっている。シート厚検知センサ６０により検知されたシート厚に応じて制御手段１０１は、後述する経路変更用分岐爪５３の位置を切替える。
【００２９】
シート検知センサ６１は、定着部１７の付近の下流側であって経路変更用分岐爪５３の上流側の搬送経路に設けられ搬送されるシートＳを検知するようになっている。シート検知センサ６１により検知されたシートＳの位置情報に基づき制御手段１０１は後述する経路変更用分岐爪５３の位置を切替える。
【００３０】
画像ドットカウンタ６２は、印刷対象の画像の印字量からトナー消費量を算出するようになっている。画像ドットカウンタ６２の算出値に基づき、制御手段１０１は、各シートＳの画像面積率を算出し、算出した画像面積率に基づき経路変更用分岐爪５３の位置を切替える。
【００３１】
図４および図５を用いて定着部１７の下流側に設けられた２つの搬送ガイド５１、５２の詳細を説明する。
【００３２】
図４は、画像形成装置１の全体図および２つの搬送ガイド５１、５２を含む排紙装置５０の部分拡大図である。排紙装置５０は、定着部１７と搬送ガイド５１、５２と経路変更用分岐爪５３と搬送ローラ５４ａ、５４ｂ、５４ｃと搬送ローラ６４ａ、６４ｂ、６４ｃ、６４ｄ、６４ｅ、６４ｆと冷却ダクト５５、５６を含んで構成されている。本実施の形態では分岐する搬送経路の数は搬送ガイド５１、５２により形成される搬送経路５１Ａと搬送経路５２Ａの２つであるが３つ以上であってもよい。搬送ガイド５１、５２は定着部１７とシートＳを排出する排紙口２６との間に設けられている。
【００３３】
図５は、定着部１７の下流側に設けられた２つの搬送ガイド５１、５２を含む排紙装置５０の説明図である。排紙装置５０は搬送ガイド５１、５２により形成される搬送経路５１Ａ、５２Ａの温度等の各種条件にしたがって、シートＳを搬送経路５１Ａ、５２Ａのいずれかに選択的に搬送するようになっている。搬送経路５１Ａと搬送経路５２Ａの分岐点には経路変更用分岐爪５３が設けられている。経路変更用分岐爪５３は、搬送経路５１Ａ、５２Ａの温度等の各種条件により回動され、シートＳがいずれかの搬送経路に搬送されるように、すなわち、経路変更用分岐爪５３は定着部１７を通ったシートＳの搬送方向を切り替えるようになっている。
【００３４】
シートＳの搬送方向の切り替えはシート検知センサ６１によりシートＳの位置を検知してから所定のタイミングの後に行われる。より具体的には、温度検知センサ５７、５８により検知した温度が後述の所定の条件を満たした場合、シート検知センサ６１が検知したシートＳの次のシートから搬送方向の変更が可能となるよう搬送経路が切替えられる。シートＳが回動する経路変更用分岐爪５３に挟まれ紙詰まりを起こすのを防ぐためである。経路変更用分岐爪５３は制御手段１０１から受けた信号により電磁モータ６３が駆動されることにより回動する。
【００３５】
搬送ガイド５１にはシートＳを搬送する搬送ローラ５４ａ、５４ｂ、５４ｃが搬送上流側から順に所定の間隔をもって設けられている。搬送ガイド５２にはシートＳを搬送する搬送ローラ６４ａ、６４ｂ、６４ｃ、６４ｄ、６４ｅ、６４ｆが搬送上流側から順に所定の間隔をもって設けられている。
【００３６】
搬送ガイド５１には冷却ダクト５５が、搬送ガイド５２には冷却ダクト５６が、それぞれ設けられ、各搬送ガイド５１、５２を冷却するようになっている。冷却ダクト５５、５６は本発明に係る冷却部材を構成する。搬送ガイド５１には温度検知センサ５７が、搬送ガイド５２には温度センサ５８がそれぞれ経路変更用分岐爪５３の下流側に配置され、各搬送ガイド５１、５２の温度を検知するようになっている。温度センサ５７、５８は、常に搬送ガイド５１、５２の温度を検知し続け、搬送経路５１Ａ、５２Ａのうち温度が低い方の搬送経路にシートＳを搬送するようになっている。
【００３７】
連続稼働等により一度搬送ガイド５１、５２および機内部品の温度が上がってしまうと、温度を再度下げるのに時間を要する。そのため、搬送ガイド５１、５２の温度を上げないために、冷却ダクト５５、５６を用いている。
【００３８】
冷却ダクト５５、５６の冷却に効率が良いのが冷却ファンであり、本実施の形態においては風量を可変調整可能な冷却ファン５９ａ、５９ｂを用いている。図５に冷却ファン５９ａ、５９ｂの配置例を挙げているが、シートの搬送性に影響を与えないよう留意する必要がある。
【００３９】
冷却ファン５９ａ、５９ｂによる風量の可変調整の例として、例えば、搬送経路にシートがある場合と無い場合で分けて風量を調整する。より具体的には、複数の搬送経路のうちシートを通紙していない側の搬送経路を最大風量にて冷却し、シートを通紙している側の搬送経路についてはシートの搬送性に影響を与えないレベルの風量で常に冷やし続ける。
【００４０】
例えば、搬送経路５１Ａの温度と搬送経路５２Ａの温度との温度差が所定値を超えると搬送経路を切り替えるようにする。具体的には、搬送経路５１Ａに通紙をして、搬送経路５２Ａの温度が搬送経路５１Ａの温度よりも１０℃以上下がった場合、経路変更用分岐爪５３を回動させて搬送経路５２Ａへ通紙を切り替える。すなわち、搬送経路５１Ａ、５２Ａの温度を温度検知センサ５７、５８で検知し、経路変更用分岐爪５３にて搬送経路５１Ａ、５２Ａを温度が最も低い搬送経路に変更するよう制御する。
【００４１】
その後、搬送経路５１Ａは冷却ダクト５５で冷やされ搬送経路５２Ａよりも温度が１０℃以上下がった場合、再度経路変更用分岐爪５３を回動させて搬送経路５１Ａに切り替える。この際、温度検知センサ５７、５８は冷却ダクト５５、５６付近に配置する事で、冷却ダクト５５、５６のＯＮ／ＯＦＦや動作効率を調整する事ができる。
【００４２】
温度検知センサ５７、５８は冷却ダクト５５、５６付近に配置するのは、仮に冷却ダクト５５、５６と温度センサ５７、５８との距離が離れていると、特に搬送ガイド５１、５２に熱伝導率が悪い部材が用いられていると、搬送ガイド５１、５２が冷却されたか否かの判断をし難いためである。
【００４３】
また、搬送経路の温度が所定値を超えた場合に搬送経路を切替えるようにしてもよい。例えば、通常は搬送経路５１Ａにて通紙を行い、搬送経路５１Ａの温度が５０℃を超えたら搬送経路５２Ａに切り替えるようにする。すなわち、温度検知センサ５７、５８で検知した温度をトリガーとして、５０℃を超えたら図４の経路変更用分岐爪５３を可動させ、冷却ダクト５５、５６をそれぞれＯＮ／ＯＦＦ、またはＯＦＦ／ＯＮをさせる。すなわち、排紙装置５０は、シートＳが搬送されている搬送経路５１Ａの温度が５０℃を超えたことを条件に、搬送経路５１ＡをシートＳが搬送されていない、搬送経路５２Ａに変更する。
【００４４】
ここでいう５０℃という温度は画像異常を引き起こすトナーの溶融温度の目安であるが、トナーの融点は種類により異なるので、トナーの種類に合わせて搬送経路を切り替える温度を調整するようにしてもよい。
【００４５】
経路変更用分岐爪５３により経路が切り替えられた後、切り替えられた側の搬送経路にシートが搬送されるようになっている。切り替えられた側の搬送経路側で５０℃を超えたら先ほどと逆の動作をさせて、それを繰り返す。両方の搬送経路５１Ａ、５２Ａとも５０℃を超えてしまった場合は、冷却ダクト５５、５６の動作効率を下げて、両方の搬送経路５１Ａ、５２Ａを冷やすものとする。
【００４６】
搬送経路５２Ａに切り替えている間は、搬送経路５１Ａは冷却ダクト５５にて冷却をするが、搬送経路５２Ａの温度が５０℃を超えた場合、再度搬送経路５１Ａに戻し、搬送経路５２Ａを冷却ダクト５６で冷却するようにする。
【００４７】
温度による搬送経路の切替制御に関しては、条件に応じて冷却ダクトの冷却効率を切り替えようにする。例えば、基本的にはシートを通紙していない側の搬送経路を冷却ダクト５５または冷却ダクト５６にて冷やすようにする。しかし大量のシートが連続通紙される場合は、両方の搬送経路５１Ａ、５２Ａが温められる場合がある。
【００４８】
その際は両方の搬送経路５１Ａ、５２Ａを冷やす必要があるが、搬送経路５１Ａ、５２Ａが冷えるまで通紙を中断する訳にはいかず、強い風量で冷やす事も出来ない。風量を強くすると搬送経路５１Ａ、５２Ａ上のシートが風の影響で正しく搬送されなくなるためである。そのため、シートを通紙する際には風量を抑える必要がある。このように、冷却部材ダクト５５、５６は両方の搬送経路５１Ａ、５２Ａを冷やす、または非通紙側の搬送経路を冷やすよう切替制御を行うことができる。
【００４９】
上記の例では搬送経路５１Ａ、５２Ａの温度に応じて経路変更用分岐爪５３を回動させ搬送経路を切替えたが、搬送経路５１Ａ、５２Ａの温度に依らずに、単に搬送経路５１Ａ、５２Ａを交互に通紙させるよう経路変更用分岐爪５３を回動させてもよい。これにより通紙順にシート単位での搬送経路の切替えを行う。すなわち、排紙装置５０は、搬送経路５１Ａ、５２Ａを搬送されるシートＳ毎に搬送経路を交互に変更するよう制御する。
【００５０】
また、シート単位ではなくジョブ毎に搬送経路を切替えるようにしてもよい。すなわち、始めに搬送経路５１Ａで通紙を行う場合、ジョブが終わったタイミング、または新しいジョブが入ったタイミングで経路変更用分岐爪５３を可動させ、搬送経路５２Ａで通紙を行うようにする。次のジョブも終わった場合、これの繰り返しで経路変更用分岐爪５３を可動させることで、搬送経路５１Ａ、５２Ａを切り替えていく。
【００５１】
図５に示すように経路変更用分岐爪５３の下流で最終的に搬送経路を１つに集約するようにしているのは、このようにしないと両面通紙、排紙先指定が困難になり、また、場合により、搬送パスが長くなり、結果的に生産性が落ちる懸念があるからである。搬送パスが長くなる前に経路変更用分岐爪５３の下流で分岐した２つの搬送経路５１Ａ、５２Ａを１つに集約し、シートＳをスイッチバックさせずに搬送することで高生産性を維持している。
【００５２】
冷却ファン５９ａ、５９ｂによる風量の可変調整の他の方法として紙種により風量を調整するようにしてもよい。一般に、薄紙を通紙する場合と厚紙を通紙する場合では、厚紙を通紙した場合の方が搬送経路および機内の温度が上がりやすくなる。したがって、通紙をしているシートの坪量毎に冷却ファン５９ａ、５９ｂの動作効率を変えて風量を調整する。例えば、厚紙時の冷却ファン５９ａ、５９ｂの動作効率を１００％とした場合、薄紙時の動作効率は７５％と下げるようにする。すなわち、シートＳのシート厚をシート厚検知センサ６０により検知し、シートＳのシート厚が厚い程、冷却ファン５９ａ、５９ｂの動作効率を大きくするよう制御する。
【００５３】
また、搬送経路の搬送ガイド５１、５２Ａに金属材料を用いる事で、熱伝導率の悪いモールド部品よりも温度の上がり始めは早くなるが、放熱部材等を添付することで温度が下がり易くなり、相対的にモールド部品を使用するよりも機内温度を低くする事が可能となる。これらの方法を用いれば、搬送経路５１Ａ、５２Ａおよび機内部品の温度上昇を抑制させる事ができる。
【００５４】
次に、画像形成装置１の機内の温度が上昇した場合の不具合に関して説明する。シートが高い温度で排出されるとシート貼り付きによる異常画像が発生し易くなる。シートが両面通紙されると、一度定着で熱を帯びたシートが両面通紙経路を通過し、再度作像パスである片面通紙経路を通過する事になる。両面通紙されたシートは給紙トレイ５からのシートと違い熱を持っているため、周囲の部品が温められ易くなる。そこで問題になるのがシート貼り付きとなる。
【００５５】
シート貼り付きの現象として、スタック部である排紙トレイ４上で両面通紙されたシートが重なり合うことで、冷めていないトナー同士が吸着し合い、剥がれ難くなるまたはトナーが剥がされる。この現象は、排紙スタック時のシートの温度が、トナーの溶融温度を超えている際に発生し易くなる。これを防止するために、シートの機内からの排出時の温度を下げる、すなわちシートが機内より排出される前に搬送経路中でできる限りシートから熱を奪う必要がある。
【００５６】
仮に搬送経路が冷えていれば、シートが通過する際に搬送経路中で熱を奪う事が可能になる。機内部品の温度を把握できるようにするため、画像形成装置１は温度を検知する手段としての温度検知センサ５７、５８を搬送経路５１Ａ、５２Ａ沿いに備えている。温度検知センサ５７、５８による温度検知は、定着部１７の下流での温度検知となるため、周囲の雰囲気温度ではなく対象部品の温度を直接検知するのが好ましい。
【００５７】
非通紙面側の温度を検知する場合は、図６に示すように搬送ガイド５１（または５２）としてモールド部品よりも金属ガイド板５１ｂ（または５２ｂ）を用いる方が良い。モールド部品は熱伝導率が悪いため、通紙面と非通紙面で温度に差異が生じやすく、正しい温度を測定出来ないためである。
【００５８】
また通紙面側を測定する場合は、金属ガイド板５１ｂの温度と合わせて、通過時のシート温度も確認する事ができる。但し、画像形成装置１のＣＰＭ（１分あたりのコピー枚数）が高い場合は紙間が狭く金属ガイド板５１ｂの温度を正しく検知出来ない場合がある。ＣＰＭが高い機種においては、非通紙領域に温度検知センサ５７、５８を配置する方が好ましい。
【００５９】
そしてシートは、トナーが多く載るほど温度は冷え難く、紙厚が厚いほど冷え難い性質がある。上記の内容で連続通紙をする場合が、機内温度が上昇しやすい。そのため、印刷条件や紙種等を考慮して温度を検知しながら効率的に経路変更用分岐爪５３で搬送経路を切り替える必要がある。トナーの種類によって溶融温度が異なるが、搬送経路５１Ａ、５２Ａの温度を５０℃以下にする事が好ましい。
【００６０】
次に、制御手段１０１が制御する経路変更用分岐爪５３の切替について図７に示すフローチャートを参照して説明する。
【００６１】
初期状態で経路変更用分岐爪５３はシートＳが搬送経路５１Ａ上を搬送されるよう配置されている。制御手段１０１は、温度検知センサ５７により搬送経路５１Ａの温度Ｔ１を検知させ（ステップＳ１）、温度検知センサ５８により搬送経路５２Ａの温度Ｔ２を検知させる（ステップＳ２）。次いで、制御手段１０１は、搬送経路５１Ａの温度Ｔ１と搬送経路５２Ａの温度Ｔ２との差（Ｔ１−Ｔ２）を算出する（ステップＳ３）。
【００６２】
制御手段１０１は、温度Ｔ１と温度Ｔ２との差がＴａ℃以上となったか否かを判断する（ステップＳ４）。Ｔａ℃の例としては例えば、１０℃である。制御手段１０１は、温度Ｔ１と温度Ｔ２との差（Ｔ１−Ｔ２）がＴａ℃以上となったと判断すると、経路変更用分岐爪５３を回動させシートＳが搬送経路５２Ａに搬送されるよう搬送経路を切替える（ステップＳ５）。次いで、制御手段１０１は、搬送経路５１Ａを冷却ダクト５５で冷却させる（ステップＳ６）。制御手段１０１は、温度Ｔ１と温度Ｔ２との差（Ｔ１−Ｔ２）がＴａ℃以上となっていないと判断した場合は、経路変更用分岐爪５３を回動させることなく、搬送経路５１Ａによる搬送を継続させる。
【００６３】
制御手段１０１は、温度検知センサ５７により搬送経路５１Ａの温度Ｔ１を検知させ（ステップＳ７）、温度検知センサ５８により搬送経路５２Ａの温度Ｔ２を検知させる（ステップＳ８）。次いで、制御手段１０１は搬送経路５２Ａの温度Ｔ２と搬送経路５１Ａの温度Ｔ１との差（Ｔ２−Ｔ１）を算出する（ステップＳ９）。
【００６４】
制御手段１０１は、温度Ｔ２と温度Ｔ１との差がＴａ℃以上となったか否かを判断する（ステップＳ１０）。制御手段１０１は、温度Ｔ２と温度Ｔ１との差（Ｔ２−Ｔ１）がＴａ℃以上となったと判断すると、経路変更用分岐爪５３を回動させシートＳが搬送経路５１Ａに搬送されるよう搬送経路を切替える（ステップＳ１１）。次いで、制御手段１０１は、搬送経路５２Ａを冷却ダクト５６で冷却させる（ステップＳ１２）。制御手段１０１は、温度Ｔ２と温度Ｔ１との差（Ｔ２−Ｔ１）がＴａ℃以上となっていないと判断した場合は、経路変更用分岐爪５３を回動させることなく、搬送経路５２Ａによる搬送を継続させる。
【００６５】
以上は、搬送経路５１Ａと搬送経路５２Ａとの温度差に基づき搬送経路の切替制御を行った例であるが、以下の図８に示すように搬送経路の温度が閾値を超えるタイミングで搬送経路の切替制御を行うようにしてもよい。
【００６６】
図８は、制御手段１０１が制御する経路変更用分岐爪５３の切替について示すフローチャートである。初期状態で経路変更用分岐爪５３はシートＳが搬送経路５１Ａ上を搬送されるよう配置されている。制御手段１０１は、温度検知センサ５７により搬送経路５１Ａの温度Ｔ１を検知させる（ステップＳ２１）。制御手段１０１は、温度Ｔ１が閾値温度Ｔｂ℃以上となったか否かを判断する（ステップＳ２２）。Ｔｂ℃の例としては例えば、５０℃である。
【００６７】
制御手段１０１は、温度Ｔ１が閾値温度Ｔｂ℃以上となったと判断すると、経路変更用分岐爪５３を回動させシートＳが搬送経路５２Ａに搬送されるよう搬送経路を切替える（ステップＳ２３）。次いで、制御手段１０１は、搬送経路５１Ａを冷却ダクト５５で冷却させる（ステップＳ２４）。制御手段１０１は、温度Ｔ１が閾値温度Ｔｂ℃以上となっていないと判断した場合は、経路変更用分岐爪５３を回動させることなく、搬送経路５１Ａによる搬送を継続させる。
【００６８】
制御手段１０１は、温度検知センサ５８により搬送経路５２Ａの温度Ｔ２を検知させる（ステップＳ２５）。制御手段１０１は、温度Ｔ２が閾値温度Ｔｂ℃以上となったか否かを判断する（ステップＳ２６）。
【００６９】
制御手段１０１は、温度Ｔ２が閾値温度Ｔｂ℃以上となったと判断すると、経路変更用分岐爪５３を回動させシートＳが搬送経路５１Ａに搬送されるよう搬送経路を切替える（ステップＳ２７）。次いで、制御手段１０１は、搬送経路５２Ａを冷却ダクト５６で冷却させる（ステップＳ２８）。制御手段１０１は、温度Ｔ２が閾値温度Ｔｂ℃以上となっていないと判断した場合は、経路変更用分岐爪５３を回動させることなく、搬送経路５２Ａによる搬送を継続させる。
【００７０】
以上のように、本実施の形態に係る排紙装置５０は、形成画像が転写されたシートＳに画像を定着させる定着部１７と、定着部１７とシートＳを排出する排紙口２６との間に設けられた搬送経路５１Ａおよび搬送経路５２Ａと、定着部１７を通ったシートＳの搬送方向を切り替える経路変更用分岐爪５３と、を有し、所定の条件にしたがってシートＳを搬送経路５１Ａおよび搬送経路５２Ａのいずれかに選択的に搬送するよう経路変更用分岐爪５３を動かすようになっている。
【００７１】
この構成により、排紙装置５０は、定着後のシート搬送経路において、２つの分岐する搬送経路５１Ａおよび搬送経路５２Ａを設け、任意の搬送経路にシートＳを搬送させる構成のため、１つの搬送経路だけが温度上昇し、シートＳの温度が上昇することを低減させることができる。したがって、シートＳが高い温度で排出されることによる異常画像の発生を抑制できる。また、搬送経路５１Ａおよび搬送経路５２Ａを上下に平行に配置させる事で、無駄なスペースを取らずに従来機と大きさを変えずに配置することが可能となる。
【００７２】
また、搬送経路を複数設けることで部品の熱容量が複数倍（２倍）以上になる事と、用紙を搬送経路５１Ａと搬送経路５２Ａとをいずれかに選択的に通紙させる事で擬似的に紙間が空く構成になり、機内部品の温度上昇の抑制が容易である。
【００７３】
また、排紙装置５０は、搬送経路５１Ａおよび搬送経路５２Ａを冷却する冷却ダクト５５、５６を有するようにしてもよい。この構成により搬送経路５１Ａと搬送経路５２Ａをそれぞれ冷却ダクト５５、５６により冷却することで搬送されるシートＳの温度上昇を低減し、以上画像の発生を抑制できる。
【００７４】
また、冷却ダクト５５、５６は、搬送経路５１Ａおよび搬送経路５２Ａを冷やす、または非通紙側の搬送経路を冷やすよう切替制御を行うようにしてもよい。この構成により、冷却ダクト５５、５６のうち通常は通紙していない側の搬送経路を冷却しつつ、連続通紙により両方の搬送経路５１Ａおよび搬送経路５２Ａの温度が上昇している場合は、シートＳの搬送性に影響を与えないよう冷却ダクト５５、５６の動作効率を下げて両方の搬送経路５１Ａおよび搬送経路５２Ａを冷却することができる。
【００７５】
また、排紙装置５０は、搬送経路５１Ａおよび搬送経路５２Ａを冷却する冷却ダクト５５、５６に冷却ファン５９を用い、風量を可変調整するようにしてもよい。この構成により、冷却の必要に応じて冷却ファン５９は必要な風量を噴き、大きな風量が必要でない場合は風量を下げることで稼働音を下げて消費電力を低くすることができる。
【００７６】
また、排紙装置５０は、搬送経路５１Ａおよび搬送経路５２Ａの温度を検知する温度検知センサ５７、５８を有し、経路変更用分岐爪５３にて搬送経路５１Ａおよび搬送経路５２Ａによる搬送経路を温度が最も低い搬送経路に変更するよう制御するようにしてもよい。この構成により、通紙中でも搬送経路を変更し、温度が低い側の搬送経路で通紙することができるので、搬送されるシートＳの温度をより低減することができる。
【００７７】
また、排紙装置５０は、シートＳのシート厚を検知し、シートＳの紙厚が厚い程、冷却ダクト５５、５６の動作効率を大きくするよう制御するようにしてもよい。この構成により、シート厚が厚いほどシートの温度は冷えにくいため、薄紙・普通紙の通紙時は、経路変更用分岐爪５３による搬送経路変更の頻度を減らすことで無駄な経路変更用分岐爪５３の稼働を防止できる。
【００７８】
また、排紙装置５０は、経路変更用分岐爪５３の搬送方向下流で、分岐した複数の搬送経路５１Ａおよび搬送経路５２Ａを１つに集約し、シートＳをスイッチバックさせずに搬送するようにしてもよい。この構成により、搬送経路を最終的に１つに集約することで両面通紙、排紙先指定を容易に行うことが可能となる。
【００７９】
また、排紙装置５０は、搬送経路５１Ａおよび搬送経路５２Ａによる搬送経路を搬送されるシートＳ毎に搬送経路５１Ａおよび搬送経路５２Ａを交互に変更するよう制御するようにしてもよい。この構成により、搬送経路５１Ａと搬送経路５２Ａの温度上昇を略等しくし、平均化することができ、一方の搬送経路の温度上昇が他方の搬送経路の温度上昇より極端に大きくなることを防ぐことができる。したがってシートＳの温度上昇による異常画像の発生を抑制できる。
【００８０】
また、排紙装置５０は、シートＳが搬送されている搬送経路５１Ａまたは搬送経路５２Ａの温度が所定値を超えたことを条件に、搬送経路をシートＳが搬送されていない、搬送経路５１Ａまたは搬送経路５２Ａのいずれかの前記搬送経路に変更するようにしてもよい。この構成により、搬送経路の温度を所定値以内に抑えることができるので、シートＳの温度上昇による異常画像の発生を抑制できる。
【００８１】
また、排紙装置５０は、搬送経路５１Ａまたは搬送経路５２Ａを印刷ジョブ毎にシートＳが搬送されていない、搬送経路５１Ａまたは搬送経路５２Ａのいずれかの搬送経路に変更するようにしてもよい。この構成により、シートＳ毎に搬送経路を変更する場合と比較して、搬送経路の変更回数を抑えることができ、搬送経路変更に要するエネルギーの省エネルギー化を図ることができる。
【００８２】
（第２の実施の形態）
本実施の形態では、シートＳに転写された画像の画像面積率に着目し、搬送経路を変更するよう構成したが、他の構成は第１の実施の形態と略同一である。第２の実施の形態に係る画像形成装置において、第１の実施の形態におけるものと同一の構成要素については、図１ないし図８に示した第１の実施の形態と同一の符号を用いて説明し、特に相違点についてのみ詳述する。
【００８３】
本実施の形態に係る排紙装置５０は、制御手段１０１がシートＳに転写された画像の画像面積率を検知し、画像面積率が所定値以上である場合に経路変更用分岐爪５３にて搬送経路を温度が最も低い搬送経路５１Ａまたは搬送経路５２Ａのいずれかに変更するよう制御する。画像面積率とは、シートＳにおける余白を除いた画像形成領域の面積に対する画像形成された画像の面積の比率である。一般に画像面積率が大きい程トナー量が多く機内温度は上昇しやすい。したがって画像面積率に応じて搬送経路を変更する切替制御を行うようにしてもよい。
【００８４】
画像面積率は、例えば、シートＳのサイズやプリント出力当たりの画像データに基づいて画像ドットカウンタ６２が印刷対象の画像の印字量から算出するトナー消費量を基に、制御手段１０１によって算出される。例えば、文字だけの文書のようなデータ量が比較的少ない画像データは画像面積率が低く、逆に、写真のようなデータ量が多い画像データは画像面積率が高くなる。
【００８５】
画像面積率に関しては、画像面積率が所定の面積率Ｓｗ％以上の場合、シート温度が高くなりやすく、上述したようなシート温度等に応じた制御を入れる必要があるが、画像面積率Ｓｗ％以下、特に文書レベルの印字ではそもそもシート温度が高くならず、１００枚レベルでの連続通紙といった特殊な場合を除けば機内の温度も上昇し難いため、搬送経路を切り替える必要がなくなる。ここでいう所定の面積率とは例えば、４０％であるが他の割合でも構わない。以上より、本実施の形態では、画像面積率が所定の面積率Ｓｗ％以上の場合にシートＳの温度に基づく搬送経路の切替えを行い、画像面積率が所定の面積率Ｓｗ％以下の場合搬送経路の切替えを行わないよう制御する。
【００８６】
ただし、仮に通紙する前から搬送経路５１Ａ、５２Ａの温度が高い場合には搬送経路５１Ａ、５２Ａを冷やす必要があるため、画像面積率が低い場合には、温度により経路変更用分岐爪５３を可動させるのではなく、通紙枚数毎（例えば１００枚）に搬送経路を切り替えるという制御を行うようにしてもよい。
【００８７】
次に、制御手段１０１が制御する経路変更用分岐爪５３の切替について図９に示すフローチャートを参照して説明する。
【００８８】
初期状態で経路変更用分岐爪５３はシートＳが搬送経路５１Ａ上を搬送されるよう配置されている。制御手段１０１は、搬送経路５１Ａに搬送されているシートＳの画像面積率を算出する(ステップＳ３１)。制御手段１０１は、画像面積率Ｓａ％が所定の面積率Ｓｗ％以上であるか否かを判断する（ステップＳ３２）。Ｓｗ％の例としては例えば、４０％である。
【００８９】
制御手段１０１は、画像面積率Ｓａ％が所定の面積率Ｓｗ％以上となったと判断すると温度検知センサ５７により搬送経路５１Ａの温度Ｔ１を検知させ（ステップＳ３３）、温度検知センサ５８により搬送経路５２Ａの温度Ｔ２を検知させる（ステップＳ３４）。次いで、制御手段１０１は、搬送経路５１Ａの温度Ｔ１と搬送経路５２Ａの温度Ｔ２との差（Ｔ１−Ｔ２）を算出する（ステップＳ３５）。制御手段１０１は、画像面積率Ｓａ％が所定の面積率Ｓｗ％以上となっていないと判断した場合は、経路変更用分岐爪５３を回動させることなく、搬送経路５１Ａによる搬送を継続させる。
【００９０】
制御手段１０１は、温度Ｔ１と温度Ｔ２との差がＴａ℃以上となったか否かを判断する（ステップＳ３６）。Ｔａ℃の例としては例えば、１０℃である。制御手段１０１は、温度Ｔ１と温度Ｔ２との差（Ｔ１−Ｔ２）がＴａ℃以上となったと判断すると、経路変更用分岐爪５３を回動させシートＳが搬送経路５２Ａに搬送されるよう搬送経路を切替える（ステップＳ３７）。次いで、制御手段１０１は、搬送経路５１Ａを冷却ダクト５５で冷却させる（ステップＳ３８）。制御手段１０１は、温度Ｔ１と温度Ｔ２との差（Ｔ１−Ｔ２）がＴａ℃以上となっていないと判断した場合は、経路変更用分岐爪５３を回動させることなく、搬送経路５１Ａによる搬送を継続させる。
【００９１】
制御手段１０１は、温度検知センサ５７により搬送経路５１Ａの温度Ｔ１を検知させ（ステップＳ３９）、温度検知センサ５８により搬送経路５２Ａの温度Ｔ２を検知させる（ステップＳ４０）。次いで、制御手段１０１は搬送経路５２Ａの温度Ｔ２と搬送経路５１Ａの温度Ｔ１との差（Ｔ２−Ｔ１）を算出する（ステップＳ４１）。
【００９２】
制御手段１０１は、温度Ｔ２と温度Ｔ１との差がＴａ℃以上となったか否かを判断する（ステップＳ４２）。制御手段１０１は、温度Ｔ２と温度Ｔ１との差（Ｔ２−Ｔ１）がＴａ℃以上となったと判断すると、経路変更用分岐爪５３を回動させシートＳが搬送経路５１Ａに搬送されるよう搬送経路を切替える（ステップＳ４３）。次いで、制御手段１０１は、搬送経路５２Ａを冷却ダクト５６で冷却させる（ステップＳ４４）。制御手段１０１は、温度Ｔ２と温度Ｔ１との差（Ｔ２−Ｔ１）がＴａ℃以上となっていないと判断した場合は、経路変更用分岐爪５３を回動させることなく、搬送経路５２Ａによる搬送を継続させる。
【００９３】
以上のように、本実施の形態に係る排紙装置５０は、シートＳに転写された画像の画像面積率を検知し、画像面積率が所定値以上である場合に経路変更用分岐爪５３にて搬送経路５１Ａおよび搬送経路５２Ａによる搬送経路を温度が最も低い搬送経路に変更するよう制御するようになっている。
【００９４】
この構成により、トナーの定着が多いシートＳは温度が下がりにくく、トナーの定着が少ないシートＳは温度が上がりにくいので、トナーの定着量に応じて経路変更用分岐爪５３による経路変更の頻度を調整することで、無駄な経路変更用分岐爪５３の稼働を防止できる。また、シートＳが高い温度で排出されることによる異常画像の発生を抑制できる。
【００９５】
以下では、本実施の形態に係る画像形成装置１の他の態様について記す。上述した画像形成装置１は、第１の温度検知手段１０３と第２の温度検知手段１０４により検知される温度と所定値との大小関係に着目して分岐手段１０５の制御を行ったが、以下に示す例では、第１の温度検知手段１０３と第２の温度検知手段１０４により検知される温度の温度差に着目して分岐手段１０５の制御を行うようにした。
【００９６】
画像形成装置１は、画像が形成された記録媒体に画像を定着させる定着手段と、定着手段と記録媒体を排出する排紙口との間に設けられた第１の搬送手段および第２の搬送手段と、定着手段の下流側に設けられ、定着手段を通過した記録媒体を検知する記録媒体検知手段１０２と、定着手段を通過した記録媒体の搬送方向を第１の搬送手段が形成する搬送経路または第２の搬送手段が形成する搬送経路のいずれかに切り替える分岐手段１０５と、第１の搬送手段上であって分岐手段の下流側に設けられ、第１の搬送手段の温度を検知する第１の温度検知手段１０３と、第２の搬送手段上であって分岐手段の下流側に設けられ、第２の搬送手段の温度を検知する第２の温度検知手段１０４と、を備え、第１の搬送手段上に記録媒体が搬送されている場合、第１の温度検知手段１０３により検知された温度から第２の温度検知手段により検知された温度を差し引いた差分が所定値を超えたことを条件に記録媒体検知手段１０２が記録媒体を検知してから所定時間後に記録媒体が搬送される経路を第２の搬送手段が形成する搬送経路に変更するよう分岐手段１０５を動かし、第２の搬送手段上に記録媒体が搬送されている場合、第２の温度検知手段１０４により検知された温度から第１の温度検知手段１０３により検知された温度を差し引いた差分が所定値を超えたことを条件に記録媒体検知手段１０２が記録媒体を検知してから所定時間後に記録媒体が搬送される経路を第１の搬送手段が形成する搬送経路に変更するよう分岐手段１０５を動かす制御手段１０１を有する。
【００９７】
上述した定着手段は、回転可能な無端状の定着ベルト１７ａと定着ベルト１７ａに対向して配置され、定着ベルト１７ａとの間にニップ部を形成する加圧ローラ１７ｂと定着ベルト１７ａの内側に配置され、定着ベルト１７ａを加熱するハロゲンヒータ１７ｃを有する定着部１７によって構成されている。上述した、記録媒体検知手段１０２は、後述するシート検知センサ６１によって構成されている。上述した第１の搬送手段は、後述するシートＳを挟持して下流側へと搬送する所定の間隔をおいて設けられた搬送ローラ５４ａ、搬送ローラ５４ｂ、搬送ローラ５４ｃと搬送ローラ５４ａ、搬送ローラ５４ｂ、搬送ローラ５４ｃから送出されるシートＳを機外排出経路へ案内する搬送ガイド５１によって構成されている。上述した第２の搬送手段は、シートＳを挟持して下流側へと搬送する所定の間隔をおいて設けられた搬送ローラ６４ａ、搬送ローラ６４ｂ、搬送ローラ６４ｃ、搬送ローラ６４ｄ、搬送ローラ６４ｅ、搬送ローラ６４ｆと搬送ローラ６４ａ、搬送ローラ６４ｂ、搬送ローラ６４ｃ、搬送ローラ６４ｄ、搬送ローラ６４ｅ、搬送ローラ６４ｆから送出されるシートＳを機外排出経路へ案内する搬送ガイド５２によって構成されている。
【００９８】
上述した、分岐手段１０５は、後述する経路変更用分岐爪５３と電磁モータ６３によって構成されている。上述した第１の温度検知手段１０３は、後述する温度検知センサ５７によって構成されている。上述した第２の温度検知手段１０４は、後述する温度検知センサ５８によって構成されている。制御手段１０１は、ＣＰＵ、ＲＯＭ、ＲＡＭ等を含むマイクロコンピュータによって構成されている。ＲＯＭには、本実施の形態における画像形成装置１の駆動等の全般に関する制御プログラムが記憶されている。このＲＯＭに記憶されたプログラムを、ＲＡＭの一時記憶機能を利用しつつ、ＣＰＵによって実行するようになっている。
【００９９】
上述した、画像形成装置１は、第１の温度検知手段１０３と第２の温度検知手段１０４により検知される温度の温度差に着目して分岐手段１０５の制御を行ったが、以下に示す例では、定着手段を通過した記録媒体を第１の搬送手段と第２の搬送手段とで交互に搬送させるよう分岐手段１０５の制御を行うようにした。
【０１００】
画像形成装置１は、画像が形成された記録媒体に画像を定着させる定着手段と、定着手段と記録媒体を排出する排紙口との間に設けられた第１の搬送手段および第２の搬送手段と、定着手段の下流側に設けられ、定着手段を通過した記録媒体を検知する記録媒体検知手段１０２と、定着手段を通過した記録媒体の搬送方向を第１の搬送手段が形成する搬送経路または第２の搬送手段が形成する搬送経路のいずれかに切り替える分岐手段１０５と、分岐手段１０５を通過した記録媒体が第１の搬送手段上に搬送された場合、記録媒体が分岐手段を通過した後であって次の記録媒体が記録媒体検知手段１０２に検知されるまでに、記録媒体が搬送される経路を第２の搬送手段が形成する搬送経路に変更するよう分岐手段１０５を動かし、分岐手段を通過した記録媒体が第２の搬送手段上に搬送された場合、記録媒体が分岐手段１０５を通過した後であって次の記録媒体が記録媒体検知手段１０２に検知されるまでに、記録媒体が搬送される経路を第１の搬送手段が形成する搬送経路に変更するよう分岐手段１０５を動かす制御手段１０１を有する。
【０１０１】
上述した定着手段は、回転可能な無端状の定着ベルト１７ａと定着ベルト１７ａに対向して配置され、定着ベルト１７ａとの間にニップ部を形成する加圧ローラ１７ｂと定着ベルト１７ａの内側に配置され、定着ベルト１７ａを加熱するハロゲンヒータ１７ｃを有する定着部１７によって構成されている。上述した、記録媒体検知手段１０２は、後述するシート検知センサ６１によって構成されている。上述した第１の搬送手段は、後述するシートＳを挟持して下流側へと搬送する所定の間隔をおいて設けられた搬送ローラ５４ａ、搬送ローラ５４ｂ、搬送ローラ５４ｃと搬送ローラ５４ａ、搬送ローラ５４ｂ、搬送ローラ５４ｃから送出されるシートＳを機外排出経路へ案内する搬送ガイド５１によって構成されている。上述した第２の搬送手段は、シートＳを挟持して下流側へと搬送する所定の間隔をおいて設けられた搬送ローラ６４ａ、搬送ローラ６４ｂ、搬送ローラ６４ｃ、搬送ローラ６４ｄ、搬送ローラ６４ｅ、搬送ローラ６４ｆと搬送ローラ６４ａ、搬送ローラ６４ｂ、搬送ローラ６４ｃ、搬送ローラ６４ｄ、搬送ローラ６４ｅ、搬送ローラ６４ｆから送出されるシートＳを機外排出経路へ案内する搬送ガイド５２によって構成されている。
【０１０２】
上述した、分岐手段１０５は、後述する経路変更用分岐爪５３と電磁モータ６３によって構成されている。制御手段１０１は、ＣＰＵ、ＲＯＭ、ＲＡＭ等を含むマイクロコンピュータによって構成されている。ＲＯＭには、本実施の形態における画像形成装置１の駆動等の全般に関する制御プログラムが記憶されている。このＲＯＭに記憶されたプログラムを、ＲＡＭの一時記憶機能を利用しつつ、ＣＰＵによって実行するようになっている。
【０１０３】
上述した、画像形成装置１は、定着手段を通過した記録媒体を第１の搬送手段と第２の搬送手段とで交互に搬送させるよう制御を行ったが、以下に示す例では記録媒体に転写された画像の画像面積率に着目して分岐手段１０５の制御を行うようにした。
【０１０４】
画像形成装置１は、画像が形成された記録媒体に画像を定着させる定着手段と、定着手段と記録媒体を排出する排紙口との間に設けられた第１の搬送手段および第２の搬送手段と、定着手段の下流側に設けられ、定着手段を通過した記録媒体を検知する記録媒体検知手段１０２と、定着手段を通過した記録媒体の搬送方向を第１の搬送手段が形成する搬送経路または第２の搬送手段が形成する搬送経路のいずれかに切り替える分岐手段１０５と、第１の搬送手段上であって分岐手段１０５の下流側に設けられ、第１の搬送手段の温度を検知する第１の温度検知手段１０３と、第２の搬送手段上であって分岐手段１０５の下流側に設けられ、第２の搬送手段の温度を検知する第２の温度検知手段１０４と、記録媒体に転写された画像の画像面積率を算出する画像面積率算出手段１０６を有し、画像面積率の所定期間内の平均値が所定値以上であることを条件に、分岐手段１０５を通過した記録媒体が第１の搬送手段上に搬送された場合、記録媒体が分岐手段１０５を通過した後であって次の記録媒体が記録媒体検知手段１０２に検知されるまでに、記録媒体検知手段１０２が記録媒体を検知してから所定時間後に記録媒体が搬送される経路を第２の搬送手段が形成する搬送経路に変更するよう分岐手段１０５を動かし、分岐手段１０５を通過した記録媒体が第２の搬送手段上に搬送された場合、記録媒体が分岐手段１０５を通過した後であって次の記録媒体が記録媒体検知手段１０２に検知されるまでに、記録媒体検知手段１０２が記録媒体を検知してから所定時間後に記録媒体が搬送される経路を第１の搬送手段が形成する搬送経路に変更するよう分岐手段１０５を動かす制御手段１０１を有する。
【０１０５】
上述した定着手段は、回転可能な無端状の定着ベルト１７ａと定着ベルト１７ａに対向して配置され、定着ベルト１７ａとの間にニップ部を形成する加圧ローラ１７ｂと定着ベルト１７ａの内側に配置され、定着ベルト１７ａを加熱するハロゲンヒータ１７ｃを有する定着部１７によって構成されている。上述した、記録媒体検知手段１０２は、後述するシート検知センサ６１によって構成されている。上述した第１の搬送手段は、後述するシートＳを挟持して下流側へと搬送する所定の間隔をおいて設けられた搬送ローラ５４ａ、搬送ローラ５４ｂ、搬送ローラ５４ｃと搬送ローラ５４ａ、搬送ローラ５４ｂ、搬送ローラ５４ｃから送出されるシートＳを機外排出経路へ案内する搬送ガイド５１によって構成されている。上述した第２の搬送手段は、シートＳを挟持して下流側へと搬送する所定の間隔をおいて設けられた搬送ローラ６４ａ、搬送ローラ６４ｂ、搬送ローラ６４ｃ、搬送ローラ６４ｄ、搬送ローラ６４ｅ、搬送ローラ６４ｆと搬送ローラ６４ａ、搬送ローラ６４ｂ、搬送ローラ６４ｃ、搬送ローラ６４ｄ、搬送ローラ６４ｅ、搬送ローラ６４ｆから送出されるシートＳを機外排出経路へ案内する搬送ガイド５２によって構成されている。
【０１０６】
上述した、分岐手段１０５は、後述する経路変更用分岐爪５３と電磁モータ６３によって構成されている。上述した第１の温度検知手段１０３は、後述する温度検知センサ５７によって構成されている。上述した第２の温度検知手段１０４は、後述する温度検知センサ５８によって構成されている。上述した、画像面積率算出手段１０６は、後述する画像ドットカウンタ６２によって構成されている。制御手段１０１は、ＣＰＵ、ＲＯＭ、ＲＡＭ等を含むマイクロコンピュータによって構成されている。ＲＯＭには、本実施の形態における画像形成装置１の駆動等の全般に関する制御プログラムが記憶されている。このＲＯＭに記憶されたプログラムを、ＲＡＭの一時記憶機能を利用しつつ、ＣＰＵによって実行するようになっている。
【０１０７】
本発明によれば、機内部品の温度上昇を低減する、および搬送されるシート温度を下げる事で、異常画像の発生を抑制することができ、排紙装置および画像形成装置全般に有用である。
【符号の説明】
【０１０８】
１  画像形成装置
１７  定着部（定着手段）
２６  排紙口
５０  排紙装置
５１、５２  搬送ガイド（搬送手段）
５１Ａ、５２Ａ  搬送経路（搬送手段）
５１ｂ、５２ｂ  金属ガイド板（搬送手段）
５３  経路変更用分岐爪（分岐手段）
５４ａ、５４ｂ、５４ｃ  搬送ローラ（搬送手段）
５５、５６  冷却ダクト
５７、５８  温度検知センサ
５９ａ、５９ｂ  冷却ファン
６４ａ、６４ｂ、６４ｃ、６４ｄ、６４ｅ、６４ｆ  搬送ローラ（搬送手段）
１０１  制御手段
Ｓ  シート（記録媒体）
【先行技術文献】
【特許文献】
【０１０９】
【特許文献１】特開２０１２−００８３４６号公報
【図１】
2019159050.tif 000003
【図２】
2019159050.tif 000004
【図３】
2019159050.tif 000005
【図４】
2019159050.tif 000006
【図５】
2019159050.tif 000007
【図６】
2019159050.tif 000008
【図７】
2019159050.tif 000009
【図８】
2019159050.tif 000010
【図９】
2019159050.tif 000011